(57)【要約】【課題】複数の放送方式を受信するデジタル放送受信機において、ＳＡＷフィルタのように１種類の周波数特性をもつ帯域外除去フィルタでは、受信する放送方式により、受信所望チャンネルの上側１チャンネル以上、下側１チャンネル以上の妨害除去信号が受信所望チャンネル内に残存することや、受信所望チャンネル自体の信号を削ってしまい、受信する放送方式によって、受信性能劣化する。【解決手段】周波数特性が変更可能なデジタルフィルタなどを用いた帯域外除去フィルタ部と、デジタル復調部＋誤り訂正部を備え、デジタル復調部＋誤り訂正部からの受信所望チャンネルの放送方式の情報を用いて、受信所望チャンネルの放送方式に最適な帯域外除去フィルタの帯域幅に設定することにより、受信性能劣化することなく、複数の放送方式が受信可能となる。【選択図】図１
2013062558.tif 000002
【特許請求の範囲】
【請求項１】
デジタル放送信号が複数入力される入力部と、
前記デジタル放送信号から受信所望チャンネルを中心に数チャンネル程度を抜き取る第１フィルタ部と、
受信所望チャンネルのＲＦ周波数信号をＩＦ周波数信号にダウンコンバートするために前記ミキサ部に入力するためのローカル周波数信号を発生させるローカル周波数信号発振回路部と、
前記第１フィルタ部で抜き取られた数チャンネルのＲＦ周波数信号を前記ローカル周波数信号でＩＦ周波数信号にダウンコンバートするミキサ部と、
前記ミキサ部の出力信号から受信所望チャンネルの上側１チャンネル以上の隣接チャンネル信号と下側１チャンネル以上の隣接チャンネル信号を除去し、受信所望の１チャンネル信号を抜き取る帯域外除去フィルタ部と、
前記帯域外除去フィルタ部から出力される受信所望チャンネルのデジタル放送信号をデジタル復調し伝送路に発生する誤りを訂正するデジタル復調部＋誤り訂正部と、
前記デジタル復調部＋誤り訂正部から出力されるトランスポートストリーム信号からデジタル画像をデコードするＴＳデコード部と、
前記デジタル復調部＋誤り訂正部より受信所望チャンネルのデジタル放送信号の放送方式情報を入手し、前記帯域外除去フィルタ部へ前記放送方式情報に適した帯域幅を伝えるシステム制御部をもつことを特徴とするデジタル放送受信機。
【請求項２】
前記システム制御部は、帯域外除去フィルタ部の帯域幅を、複数の放送方式のうち一番狭い帯域幅に設定しデジタル放送受信した後に、
前記デジタル復調部＋誤り訂正部より受信所望チャンネルのデジタル放送方式情報に適した帯域外除去フィルタ部の帯域幅に変更することを特徴とする請求項１に記載のデジタル放送受信機。
【請求項３】
前記システム制御部は、帯域外除去フィルタ部の帯域幅を、複数の放送方式のうち一番広い帯域幅に設定しデジタル放送受信した後に、
前記デジタル復調部＋誤り訂正部より受信所望チャンネルのデジタル放送方式情報に適した帯域外除去フィルタ部の帯域幅に変更することを特徴とする請求項１に記載のデジタル放送受信機。
【請求項４】
前記システム制御部は、帯域外除去フィルタ部の帯域幅を、複数の放送方式のうち一番広い帯域幅と一番狭い帯域幅の中間の帯域幅に設定しデジタル放送受信した後に、
前記デジタル復調部＋誤り訂正部より受信所望チャンネルのデジタル放送方式情報に適した帯域外除去フィルタ部の帯域幅に変更することを特徴とする請求項１に記載のデジタル放送受信機。
【発明の詳細な説明】
【技術分野】
【０００１】
本発明は複数の放送方式が受信可能なデジタル放送受信機に関するものである。
【背景技術】
【０００２】
従来のデジタル放送受信機において、チューナと復調ＬＳＩで構成され、デジタルテレビの受信性能を左右するフロントエンドは、受信所望チャンネル以外のチャンネルを除去する目的をもつ帯域外除去フィルタには、ＳＡＷフィルタと呼ばれるアナログ部品を使用しており、帯域外除去フィルタの周波数特性も１種類固定であった。
【０００３】
ここで、従来のデジタル放送受信機の構成を交えながら説明する。図４は従来のデジタル放送受信機のブロック図である。
【０００４】
図４において、デジタル放送受信機５００は、放送波を受信するために、アンテナやケーブルが入力部５０１に接続されている。
【０００５】
デジタル放送受信機５００は、入力部５０１と、第１フィルタ部５１０と、ミキサ部５２０と、帯域外除去フィルタ部５３０と、デジタル復調部＋誤り訂正部５４０と、ＴＳデコード部５５０と、ローカル周波数信号発振回路部５６０と、システム制御部５７０によって構成されている。
【０００６】
入力部５０１は、地上デジタル放送やデジタルケーブル放送などのデジタル放送信号が複数入力され、第１フィルタ部５１０に出力する。
【０００７】
第１フィルタ部５１０は、デジタル放送信号から受信所望チャンネルを中心に数チャンネル程度を抜き取り、ミキサ部５２０に出力する。
【０００８】
ミキサ部５２０は、第１フィルタ部５１０で抜き取られた数チャンネルのＲＦ周波数信号と、ローカル周波数信号発振回路部５６０が発生させたローカル周波数信号を入力する。そして、ミキサ部５２０は、受信所望チャンネルを含む数チャンネルのＲＦ周波数信号をローカル周波数信号によりＩＦ周波数信号にダウンコンバートする。そして、ミキサ部５２０はダウンコンバートしたＩＦ周波数信号を帯域外除去フィルタ部５３０に出力する。
【０００９】
帯域外除去フィルタ部５３０は、ミキサ部１２０の出力信号から受信所望チャンネルの上側１チャンネル以上の隣接チャンネル信号と下側１チャンネル以上の隣接チャンネル信号を除去し、受信所望チャンネルの１チャンネル信号を抜き取る。
【００１０】
デジタル復調＋誤り訂正部５４０は、帯域外除去フィルタ部５３０から出力される受信所望チャンネルのデジタル放送信号をデジタル復調し、伝送路に発生する誤りを訂正する。
【００１１】
システム制御部５７０は、ＴＳデコード部５５０に対して、受信所望チャンネル内にある数個のバーチャルチャンネルのうちユーザの選択した１つのバーチャルチャンネル情報を伝える。
【００１２】
ＴＳデコード部５５０は、デジタル復調部＋誤り訂正部５４０から出力されるトランスポートストリーム信号から、ユーザの選択した１つのバーチャルチャンネルをデコードし、デジタル画像を出力する。
【００１３】
また、システム制御部５７０は、受信所望チャンネル情報に即したローカル周波数をローカル周波数信号発振回路部５６０に伝える。また、受信所望チャンネルの放送方式に対応してレジスタ設定情報をデジタル復調部＋誤り訂正部５４０に伝えるなどの働きをし、システム全体を制御する。
【００１４】
ローカル周波数信号発振回路部５６０は、システム制御部５７０から受信所望チャンネル情報に即したローカル周波数情報を入力され、受信所望チャンネルのＲＦ周波数信号をＩＦ周波数信号にダウンコンバートするために発生させたローカル周波数信号を作成し、ミキサ部５２０へ出力する。
【００１５】
これらにより、受信所望チャンネルの所定の１チャンネルの帯域幅の帯域外を除去し、受信所望のチャンネル内にある数個のバーチャルチャンネルのうち、ユーザの選択した１つのバーチャルチャンネルをデコードし画像出力することができる。
【先行技術文献】
【特許文献】
【００１６】
【特許文献１】特開２００３−１３３９８６号公報
【発明の概要】
【発明が解決しようとする課題】
【００１７】
しかしながら、現在運用中、及び、将来運用予定の複数の放送方式は、信号帯域幅が互いに異なっている。例えば、図５に示すように、欧州ＤＶＢ−Ｔ、欧州ＤＶＢ−Ｃ、欧州ＤＶＢ−Ｔ２、欧州ＤＶＢ−Ｃ２、米国ＡＴＳＣ、米国ＱＡＭ方式の放送電波の帯域幅の違いがあり、かつ１チャンネルの帯域幅に対して、送信される変調信号の帯域幅実値は、それぞれ異なっている。
【００１８】
そのため、ＳＡＷフィルタのような１種類の周波数特性のみの帯域外除去フィルタでは、受信する放送方式により、受信所望チャンネルの上側１チャンネル以上、下側１チャンネル以上の妨害除去信号が受信所望チャンネル内に残存することや、受信所望チャンネル自体の信号を削ってしまい、受信性能劣化を起こすという課題があった。
【００１９】
本発明は、前記従来の課題を解決するもので、帯域外除去フィルタとして周波数特性が変更可能なデジタルフィルタなどを用いて、複数の放送方式それぞれに対応した帯域外除去フィルタを実現し、受信性能劣化を防止するデジタル放送受信機を提供することを目的とする。
【課題を解決するための手段】
【００２０】
前記従来の課題を解決するために、本発明のデジタル放送受信機は、デジタル放送信号が複数入力される入力部と、前記デジタル放送信号から受信所望チャンネルを中心に数チャンネル程度を抜き取る第１フィルタ部と、受信所望チャンネルのＲＦ周波数信号をＩＦ周波数信号にダウンコンバートするために前記ミキサ部に入力するためのローカル周波数信号を発生させるローカル周波数信号発振回路部と、前記第１フィルタ部で抜き取られた数チャンネルのＲＦ周波数信号を前記ローカル周波数信号でＩＦ周波数信号にダウンコンバートするミキサ部と、前記ミキサ部の出力信号から受信所望チャンネルの上側１チャンネル以上の隣接チャンネル信号と下側１チャンネル以上の隣接チャンネル信号を除去し、受信所望の１チャンネル信号を抜き取る帯域外除去フィルタ部と、前記帯域外除去フィルタ部から出力される受信所望チャンネルのデジタル放送信号をデジタル復調し伝送路に発生する誤りを訂正するデジタル復調部＋誤り訂正部と、前記デジタル復調部＋誤り訂正部から出力されるトランスポートストリーム信号からデジタル画像をデコードするＴＳデコード部と、前記デジタル復調部＋誤り訂正部より受信所望チャンネルのデジタル放送信号の放送方式情報を入手し、前記帯域外除去フィルタ部へ前記放送方式情報に適した帯域幅を伝えるシステム全体を制御するシステム制御部を備える。
【００２１】
また、本発明のデジタル放送受信機は、デジタル放送信号が複数入力される入力部と、前記デジタル放送信号から受信所望チャンネルを中心に数チャンネル程度を抜き取る第１フィルタ部と、受信所望チャンネルのＲＦ周波数信号をＩＦ周波数信号にダウンコンバートするために前記ミキサ部に入力するためのローカル周波数信号を発生させるローカル周波数信号発振回路部と、前記第１フィルタ部で抜き取られた数チャンネルのＲＦ周波数信号を前記ローカル周波数信号でＩＦ周波数信号にダウンコンバートするミキサ部と、前記ミキサ部の出力信号から受信所望チャンネルの上側１チャンネル以上の隣接チャンネル信号と下側１チャンネル以上の隣接チャンネル信号を除去し、受信所望の１チャンネル信号を抜き取る帯域外除去フィルタ部と、前記帯域外除去フィルタ部から出力される受信所望チャンネルのデジタル放送信号をデジタル復調し伝送路に発生する誤りを訂正するデジタル復調部＋誤り訂正部と、前記デジタル復調部＋誤り訂正部から出力されるトランスポートストリーム信号からデジタル画像をデコードするＴＳデコード部と、前記デジタル復調部＋誤り訂正部より受信所望チャンネルのデジタル放送信号の放送方式情報を入手し、その放送方式情報に適した帯域外除去フィルタ部の帯域幅に変更するときに帯域外除去フィルタ部の帯域幅を、複数の放送方式のうち一番狭い帯域幅に設定しデジタル放送受信した後に、前記デジタル復調部＋誤り訂正部より受信所望チャンネルのデジタル放送方式情報に適した帯域外除去フィルタ部の帯域幅に変更することを特徴とする、システム全体を制御するシステム制御部を備える。
【００２２】
また、本発明のデジタル放送受信機は、デジタル放送信号が複数入力される入力部と、前記デジタル放送信号から受信所望チャンネルを中心に数チャンネル程度を抜き取る第１フィルタ部と、受信所望チャンネルのＲＦ周波数信号をＩＦ周波数信号にダウンコンバートするために前記ミキサ部に入力するためのローカル周波数信号を発生させるローカル周波数信号発振回路部と、前記第１フィルタ部で抜き取られた数チャンネルのＲＦ周波数信号を前記ローカル周波数信号でＩＦ周波数信号にダウンコンバートするミキサ部と、前記ミキサ部の出力信号から受信所望チャンネルの上側１チャンネル以上の隣接チャンネル信号と下側１チャンネル以上の隣接チャンネル信号を除去し、受信所望の１チャンネル信号を抜き取る帯域外除去フィルタ部と、前記帯域外除去フィルタ部から出力される受信所望チャンネルのデジタル放送信号をデジタル復調し伝送路に発生する誤りを訂正するデジタル復調部＋誤り訂正部と、前記デジタル復調部＋誤り訂正部から出力されるトランスポートストリーム信号からデジタル画像をデコードするＴＳデコード部と、前記デジタル復調部＋誤り訂正部より受信所望チャンネルのデジタル放送信号の放送方式情報を入手し、その放送方式情報に適した帯域外除去フィルタ部の帯域幅に変更するときに帯域外除去フィルタ部の帯域幅を、複数の放送方式のうち一番広い帯域幅に設定しデジタル放送受信した後に、前記デジタル復調部＋誤り訂正部より受信所望チャンネルのデジタル放送方式情報に適した帯域外除去フィルタ部の帯域幅に変更することを特徴とするシステム全体を制御するシステム制御部を備える。
【００２３】
また、本発明のデジタル放送受信機は、デジタル放送信号が複数入力される入力部と、前記デジタル放送信号から受信所望チャンネルを中心に数チャンネル程度を抜き取る第１フィルタ部と、受信所望チャンネルのＲＦ周波数信号をＩＦ周波数信号にダウンコンバートするために前記ミキサ部に入力するためのローカル周波数信号を発生させるローカル周波数信号発振回路部と、前記第１フィルタ部で抜き取られた数チャンネルのＲＦ周波数信号を前記ローカル周波数信号でＩＦ周波数信号にダウンコンバートするミキサ部と、前記ミキサ部の出力信号から受信所望チャンネルの上側１チャンネル以上の隣接チャンネル信号と下側１チャンネル以上の隣接チャンネル信号を除去し、受信所望の１チャンネル信号を抜き取る帯域外除去フィルタ部と、前記帯域外除去フィルタ部から出力される受信所望チャンネルのデジタル放送信号をデジタル復調し伝送路に発生する誤りを訂正するデジタル復調部＋誤り訂正部と、前記デジタル復調部＋誤り訂正部から出力されるトランスポートストリーム信号からデジタル画像をデコードするＴＳデコード部と、前記デジタル復調部＋誤り訂正部より受信所望チャンネルのデジタル放送信号の放送方式情報を入手し、その放送方式情報に適した帯域外除去フィルタ部の帯域幅に変更するときに帯域外除去フィルタ部の帯域幅を、複数の放送方式のうち一番広い帯域幅と一番狭い帯域幅の中間の帯域幅に設定しデジタル放送受信した後に、前記デジタル復調部＋誤り訂正部より受信所望チャンネルのデジタル放送方式情報に適した帯域外除去フィルタ部の帯域幅に変更することを特徴とするシステム全体を制御するシステム制御部を備える。
【００２４】
本構成によって、受信所望チャンネルの放送方式に最適な帯域外除去フィルタの帯域幅をもつ最適な周波数特性を実現することができ、受信性能劣化することのない複数の放送方式が受信可能なデジタル放送受信機を実現することが可能となる。
【発明の効果】
【００２５】
本発明のデジタル放送受信機によれば、帯域外除去フィルタとして周波数特性が変更可能なデジタルフィルタを用いて、またデジタル復調部＋誤り訂正部からの受信所望チャンネルの放送方式の情報を用いて、受信所望チャンネルの放送方式に最適な帯域外除去フィルタの帯域幅に設定することで、受信所望チャンネルの上側１チャンネル以上、下側１チャンネル以上の妨害除去信号が受信所望チャンネル内に残存せずに、受信所望チャンネル自体の信号が削られることなしに、受信性能劣化することのない複数の放送方式が受信可能なデジタル放送受信機を提供することができる。
【図面の簡単な説明】
【００２６】
【図１】本発明の実施例１におけるデジタル放送受信機のブロック図
【図２】本発明の実施例１におけるデジタル放送受信機の帯域外除去フィルタの帯域幅の設定に関するフローチャート
【図３】本発明の実施の形態４におけるデジタル放送受信機の帯域外除去フィルタの帯域幅の設定に関するフローチャート
【図４】従来のデジタル放送受信機のブロック図
【図５】各放送方式と１チャンネルの帯域幅規定および送信される変調信号の帯域幅実値の関係を示す図
【発明を実施するための形態】
【００２７】
以下本発明を実施するための形態について、図面を参照しながら説明する。
【実施例１】
【００２８】
まず、本発明のデジタル放送受信機の構成について説明する。図１は、本発明の実施例１におけるデジタル放送受信機のブロック図である。図１において、デジタル放送受信機１００は、放送波を受信するために、アンテナやケーブルが入力部１０１に接続されている。
【００２９】
デジタル放送受信機１００は、入力部１０１と、第１フィルタ部１１０と、ミキサ部１２０と、帯域外除去フィルタ部１３０と、デジタル復調部＋誤り訂正部１４０と、ＴＳデコード部１５０と、ローカル周波数信号発振回路部１６０と、システム制御部１７０によって構成されている。
【００３０】
入力部１０１は、地上デジタル放送やデジタルケーブル放送などのデジタル放送信号が複数入力され、第１フィルタ部１１０に出力する。
【００３１】
第１フィルタ部１１０は、デジタル放送信号から受信所望チャンネルを中心に数チャンネル程度を抜き取り、ミキサ部１２０に出力する。
【００３２】
ミキサ部１２０は、第１フィルタ部１１０で抜き取られた数チャンネルのＲＦ周波数信号と、ローカル周波数信号発振回路部１６０が発生させたローカル周波数信号を入力する。そして、ミキサ部１２０は、受信所望チャンネルのＲＦ周波数信号を含む数チャンネルのＲＦ信号をローカル周波数信号によりＩＦ周波数信号にダウンコンバートする。そして、ミキサ部１２０はダウンコンバートしたＩＦ周波数信号を帯域外除去フィルタ部１３０に出力する。
【００３３】
帯域外除去フィルタ部１３０は、ミキサ部１２０の出力信号から受信所望チャンネルの上側１チャンネル以上の隣接チャンネル信号と下側１チャンネル以上の隣接チャンネル信号を除去し、受信所望チャンネルの１チャンネル信号を抜き取る。
【００３４】
デジタル復調＋誤り訂正部１４０は、帯域外除去フィルタ部１３０から出力される受信所望チャンネルのデジタル放送信号をデジタル復調し、伝送路に発生する誤りを訂正する。デジタル復調部＋誤り訂正部１４０は、複数の放送方式をデジタル復調＋誤り訂正することが可能で、受信所望チャンネルのデジタル放送信号の放送方式をデジタル復調＋誤り訂正する。例えば、デジタル復調＋誤り訂正可能な２種類の放送方式を、第１変調方式、第２変調方式と定義した場合、受信所望チャンネルが第１変調方式であった場合、受信所望チャンネルが第１変調方式であるという情報をシステム制御部１７０に出力する。
【００３５】
システム制御部１７０は、ＴＳデコード部１５０に対して、受信所望チャンネル内にある数個のバーチャルチャンネルのうちユーザの選択した１つのバーチャルチャンネル情報を伝える。
【００３６】
ＴＳデコード部１５０は、デジタル復調部＋誤り訂正部１４０から出力されるトランスポートストリーム信号から、ユーザの選択した１つのバーチャルチャンネルをデコードし、デジタル画像を出力する。
【００３７】
また、システム制御部１７０は、受信所望チャンネル情報に即したローカル周波数をローカル周波数信号発振回路部１６０に伝える。また、受信所望チャンネルの放送方式に対応してレジスタ設定情報をデジタル復調部＋誤り訂正部１４０に伝えるなどの働きをし、システム全体を制御する。更に、システム制御部１７０は、受信所望チャンネルが第１変調方式であるという情報を帯域外除去フィルタ部１３０に伝え、帯域除去フィルタ部１３０では、第１変調方式の帯域幅に設定する。
【００３８】
ローカル周波数信号発振回路部１６０は、システム制御部１７０から受信所望チャンネル情報に即したローカル周波数情報を入力され、受信所望チャンネルのＲＦ周波数信号をＩＦ周波数信号にダウンコンバートするために発生させたローカル周波数信号を作成し、ミキサ部１２０へ出力する。
【００３９】
次に、本発明のデジタル放送受信機１００のフローについて説明する。図２は本発明の実施例１におけるデジタル放送受信機１００の帯域外フィルタの帯域幅の設定に関するフローチャートで、仮にデジタル復調＋誤り訂正可能な放送方式が２種類の放送方式で、第１変調方式、第２変調方式と定義した場合である。また、図２のフローチャートは、プリセット時やスキャン時などの、受信所望チャンネルの放送方式が不明の場合のフローチャートである。
【００４０】
帯域外除去フィルタ１３０の帯域幅を第１変調方式の帯域幅に設定（ステップＳ３１０）し、システム制御部１７０より受信所望チャンネルのローカル周波数情報がローカル周波数信号発振回路部１６０に送られ、受信所望チャンネルが選局される（ステップＳ ３２０）。次に、デジタル復調部＋誤り訂正部１４０において、第１変調方式でデジタル復調＋誤り訂正し、デジタル復調＋誤り訂正が可能かどうかを判定する（ステップＳ３３０）。
【００４１】
ステップＳ３３０において、デジタル復調＋誤り訂正が可能であった場合、システム制御部１７０へ受信所望チャンネルは第１変調方式であるという情報を伝え、システム制御部１７０が記憶する（ステップＳ３３２）。そして、フローを終了する。
【００４２】
ステップＳ３３０において、デジタル復調＋誤り訂正が不可能であった場合、第２変調方式でデジタル復調＋誤り訂正し、デジタル復調＋誤り訂正が可能かどうかを判定する（ステップＳ３４０）。
【００４３】
ステップＳ３４０において、デジタル復調＋誤り訂正が可能であった場合、帯域外除去フィルタを第２変調方式の帯域幅に設定し（ステップＳ３４１）、システム制御部１７０へ受信所望チャンネルは第２変調方式であるという情報を伝え、システム制御部１７０が記憶する（ステップＳ３４２）。そして、フローを終了する。
【００４４】
ステップＳ３４０において、デジタル復調＋誤り訂正が不可能であった場合、システム制御部１７０へ、受信所望チャンネルは信号なしという情報を伝え、システム制御部１７０が記憶する（ステップＳ３５２）。そして、フローを終了する。
【００４５】
かかる構成によれば、帯域外除去フィルタとして周波数特性が変更可能なデジタルフィルタなどを用いて、複数の放送方式それぞれに対応した帯域外除去フィルタを実現し、受信性能劣化を防止することができる。
【００４６】
また、システム制御部１７０では、受信したチャンネルが第１変調方式か第２変調方式か信号なしという情報を記憶しておき、２回目以降にこのチャンネルを受信する場合は、記憶されている情報に基づき、帯域外除去フィルタの帯域幅を設定する。そのため、該チャンネルを２回目以降、再受信する場合は、放送方式に適した受信性能劣化のない帯域幅で受信できるという効果がある。
【００４７】
なお、本発明では、受信可能な放送方式が２種類と記載しているが、３種類以上も同様となる。その場合は、ステップＳ３４０において、デジタル復調＋誤り訂正が不可能であると判断された後、第３変調方式でデジタル復調＋誤り訂正し、デジタル復調＋誤り訂正が可能かどうかを判定する。
（実施の形態２）
実施の形態２のデジタル放送受信機１００の構成、各ブロックの動作ともに、実施例１の図１と同様である。
【００４８】
実施例１との違いは、図２のデジタル放送受信機１００のフローチャートにおいて、仮にデジタル復調＋誤り訂正可能な放送方式が２種類の放送方式で、第１変調方式と第２変調方式と定義した場合、第１変調方式と第２変調方式のうち、帯域幅の狭い変調方式を第１変調方式と定義し、それ以外の変調方式を第２変調方式とする点である。そのように定義し、実施例１と同様のデジタル放送受信機１００のフローチャートとなる。
【００４９】
かかる構成によれば、第１変調方式を一番狭い帯域幅をもつ放送方式とすることで、プリセット時やスキャン時などの、受信所望チャンネルの放送方式が不明の場合に、受信所望チャンネルの上側１チャンネル以上あるいは下側１チャンネル以上の妨害による受信性能劣化を軽減するという効果がある。
【００５０】
また、該チャンネルを２回目以降、再受信する場合は、放送方式に適した受信性能劣化のない帯域幅で受信できるという効果がある。
【００５１】
なお、本発明では、受信可能な放送方式が２種類と記載しているが、３種類以上も同様となり、第１変調方式が受信可能な放送方式のうち一番狭い帯域幅をもつ放送方式とし、帯域幅の狭い順番に変調方式の順番を設定する。
（実施の形態３）
実施の形態３のデジタル放送受信機１００の構成、各ブロックの動作ともに、実施例１の図１と同様である。
【００５２】
実施例１との違いは、図２のデジタル放送受信機１００のフローチャートにおいて、仮にデジタル復調＋誤り訂正可能な放送方式が２種類の放送方式で、第１変調方式と第２変調方式と定義した場合、第１変調方式と第２変調方式のうち、帯域幅の広い変調方式を第１変調方式と定義し、それ以外の変調方式を第２変調方式とする点である。そのように定義し、実施例１と同様のデジタル放送受信機１００のフローチャートとなる。
【００５３】
かかる構成によれば、第１変調方式を一番広い帯域幅をもつ放送方式とすることで、プリセット時やスキャン時などの、受信所望チャンネルの放送方式が不明の場合に、受信所望チャンネル自身が帯域外フィルタにより削られることによる受信性能劣化を軽減するという効果がある。
【００５４】
また、該チャンネルを２回目以降、再受信する場合は、放送方式に適した受信性能劣化のない帯域幅で受信できるという効果がある。
【００５５】
なお、本発明では、受信可能な放送方式が２種類と記載しているが、３種類以上も同様となり、第１変調方式が受信可能な放送方式のうち一番広い帯域幅をもつ放送方式とし、帯域幅の広い順番に変調方式の順番を設定する。
（実施の形態４）
実施の形態４のデジタル放送受信機１００の構成、各ブロックの動作ともに、実施例１の図１と同様である。
【００５６】
実施例１との違いは、図２のデジタル放送受信機１００のフローチャートである。
【００５７】
図３は本発明の実施例１におけるデジタル放送受信機１００の帯域外フィルタの帯域幅の設定に関するフローチャートで、仮にデジタル復調＋誤り訂正可能な放送方式が２種類の放送方式で、第１変調方式、第２変調方式と定義した場合である。また、図２のフローチャートは、プリセット時やスキャン時などの、受信所望チャンネルの放送方式が不明の場合のフローチャートである。
【００５８】
帯域外除去フィルタ１３０の帯域幅を第１変調方式と第２変調方式の中間の帯域幅に設定（ステップＳ４１０）し、システム制御部１７０より受信所望チャンネルのローカル周波数情報がローカル周波数信号発振回路部１６０に送られ、受信所望チャンネルが選局される（ステップＳ３２０）。次に、デジタル復調部＋誤り訂正部１４０において、第１変調方式でデジタル復調＋誤り訂正し、デジタル復調＋誤り訂正が可能かどうかを判定する（ステップＳ３３０）。
【００５９】
ステップＳ３３０において、デジタル復調＋誤り訂正が可能であった場合、帯域外除去フィルタを第１変調方式の帯域幅に設定し（ステップＳ４３１）、システム制御部１７０へ受信所望チャンネルは第１変調方式であるという情報を伝え、システム制御部１７０が記憶する（ステップＳ３３２）。そして、フローを終了する。
【００６０】
ステップＳ３３０において、デジタル復調＋誤り訂正が不可能であった場合、第２変調方式でデジタル復調＋誤り訂正し、デジタル復調＋誤り訂正が可能かどうかを判定する（ステップＳ３４０）。
【００６１】
ステップＳ３４０において、デジタル復調＋誤り訂正が可能であった場合、帯域外除去フィルタを第２変調方式の帯域幅に設定し（ステップＳ３４１）、システム制御部１７０へ受信所望チャンネルは第２変調方式であるという情報を伝え、システム制御部１７０が記憶する（ステップＳ３４２）。そして、フローを終了する。
【００６２】
ステップＳ３４０において、デジタル復調＋誤り訂正が不可能であった場合、システム制御部１７０へ、受信所望チャンネルは信号なしという情報を伝え、システム制御部１７０が記憶する（ステップＳ３５２）。そして、フローを終了する。
【００６３】
システム制御部１７０では、受信したチャンネルが第１変調方式か第２変調方式か信号なしという情報を記憶しておき、２回目以降にこのチャンネルを受信する場合は、記憶されている情報に基づき、帯域外除去フィルタの帯域幅を設定する。
【００６４】
かかる構成によれば、最初の帯域外除去フィルタを受信可能なすべての放送方式の中間となる帯域幅で設定することで、プリセット時やスキャン時などの、受信所望チャンネルの放送方式が不明の場合に、受信所望チャンネルの上側１チャンネル以上あるいは下側１チャンネル以上の妨害による受信性能劣化と、受信所望チャンネル自身が帯域外フィルタにより削られることによる受信性能劣化を、バランスよく軽減するという効果がある。
【００６５】
また、該チャンネルを２回目以降、再受信する場合は、放送方式に適した受信性能劣化のない帯域幅で受信できるという効果がある。
【００６６】
なお、本発明では、受信可能な放送方式が２種類と記載しているが、３種類以上も同様となり、ステップＳ４１０において、帯域外除去フィルタを受信可能なすべての放送方式の中間となる帯域幅で設定することとなる。
【産業上の利用可能性】
【００６７】
本発明にかかるデジタル放送受信機は、帯域外除去フィルタとして周波数特性が変更可能なデジタルフィルタなどを用いて、複数の放送方式に適した帯域幅をもつ帯域外除去フィルタを実現しており、受信所望チャンネルの上側１チャンネル以上あるいは下側１チャンネル以上の妨害による受信性能劣化と、受信所望チャンネル自身が帯域外フィルタにより削られることによる受信性能劣化をともに軽減することが可能となり、複数の放送方式を受信するデジタル放送受信機において、非常に有用である。
【符号の説明】
【００６８】
１００    デジタル受信機
１０１    入力部
１１０    第１フィルタ部
１２０    ミキサ部
１３０    帯域外除去フィルタ部
１４０    デジタル復調部＋誤り訂正部
１５０    ＴＳデコード部
１６０    ローカル周波数信号発振回路部
１７０    システム制御部
【図１】
2013062558.tif 000003
【図２】
2013062558.tif 000004
【図３】
2013062558.tif 000005
【図４】
2013062558.tif 000006
【図５】
2013062558.tif 000007